(57)【要約】  ２次電池型燃料電池システムは、化学反応により燃料ガスを発生し、前記化学反応の逆反応により再生可能な燃料発生部と、前記燃料発生部から発生された燃料ガスが供給される燃料極、酸化剤ガスが供給される酸化剤極及び前記燃料極と前記酸化剤極とで挟まれた電解質を有し、発電を行う燃料電池部と、予備電池と、前記燃料電池部の燃料極が酸化される雰囲気下にあるか否かを判定する判定部と、前記判定部によって前記燃料極が酸化される雰囲気下にあると判定された場合、前記燃料電池部による給電を停止し、前記予備電池による給電に切り替えるとともに、前記燃料電池部に燃料ガスを供給する前記燃料発生部の再生を行うように充電動作を行わせる制御部とを備える。
2012165245.tif 000002
【特許請求の範囲】
【請求項１】
２次電池型燃料電池システムであって、
化学反応により燃料ガスを発生し、前記化学反応の逆反応により再生可能な燃料発生部と、
前記燃料発生部から発生された燃料ガスが供給される燃料極、酸化剤ガスが供給される酸化剤極及び前記燃料極と前記酸化剤極とで挟まれた電解質を有し、発電を行う燃料電池部と、
予備電池と、
前記燃料電池部の燃料極が酸化される雰囲気下にあるか否かを判定する判定部と、
前記判定部によって前記燃料極が酸化される雰囲気下にあると判定された場合、前記燃料電池部による給電を停止し、前記予備電池による給電に切り替えるとともに、前記燃料電池部に燃料ガスを供給する前記燃料発生部の再生を行うように充電動作を行わせる制御部とを備えることを特徴とする２次電池型燃料電池システム。
【請求項２】
前記判定部は、前記燃料電池部の燃料極の環境温度を検出する温度センサーと、前記燃料電池部の燃料極と酸化剤極との間の電圧を検出する電圧検出部とを備え、前記温度センサーによって検出された温度と、前記電圧検出部によって検出された電圧とから、前記燃料電池部の燃料極が酸化される雰囲気下にあるか否かを判定することを特徴とする請求項１に記載の２次電池型燃料電池システム。
【請求項３】
前記判定部は、前記燃料電池部の燃料極の環境温度を検出する温度センサーと、前記燃料電池部の燃料極周辺に存在する燃料ガスの濃度を検出するガス濃度センサーとを備え、前記温度センサーによって検出された温度と、前記ガス濃度センサーによって検出された燃料ガスの濃度とから、前記燃料電池部の燃料極が酸化される雰囲気下にあるか否かを判定することを特徴とする請求項１に記載の２次電池型燃料電池システム。
【請求項４】
前記燃料発生部と前記燃料電池部とは一体的にモジュール化されていることを特徴とする請求項１〜３のいずれか１項に記載の２次電池型燃料電池システム。
【請求項５】
前記予備電池は、前記燃料発生部と前記燃料電池部とから構成されるモジュールと同様のものである請求項４に記載の２次電池型燃料電池システム。
【請求項６】
前記燃料電池部が備える電解質が固体酸化物電解質であることを特徴とする請求項１〜５のいずれか１項に記載の２次電池型燃料電池システム。
【発明の詳細な説明】
【技術分野】
【０００１】
本発明は、本発明は、発電動作だけでなく充電動作も行える２次電池型燃料電池システムに関する。
【背景技術】
【０００２】
燃料電池は、典型的には、固体ポリマーイオン交換膜を用いた固体高分子電解質膜、イットリア安定化ジルコニア（ＹＳＺ）を用いた固体酸化物電解質膜等を、燃料極（アノード）と酸化剤極（カソード）とで両側から挟み込んだものを１つのセル構成としている。そして、燃料極に燃料ガス（例えば水素ガス）を供給する燃料ガス流路と、酸化剤極に酸化剤ガス（例えば酸素や空気）を供給する酸化剤ガス流路とが設けられ、これらの流路を介して燃料ガス、酸化剤ガスがそれぞれ燃料極、酸化剤極に供給されることにより発電が行われる。【０００３】
この燃料電池は、水素と酸素から水を生成した際に電力を取り出すものであり、原理的に取り出せる電力エネルギーの効率が高いため、省エネルギーになるだけでなく、発電時の排出物が水のみであるため、環境に優れた発電方式であり、地球規模でのエネルギーや環境問題解決の切り札として期待されている。
【先行技術文献】
【特許文献】
【０００４】
【特許文献１】特開２００６−２９４５０８号公報
【特許文献２】特開２００７−２７３３１１号公報
【特許文献３】特開２０１０−１４０７００号公報
【発明の概要】
【発明が解決しようとする課題】
【０００５】
燃料電池の燃料極には、例えばＮｉのような材料が使用されている。この燃料極の材料が酸化すると、電気抵抗が増加するといった問題が発生する。また、燃料極の材料の酸化又はその逆反応である還元に伴う体積変化によって、他の周辺部材を破壊したり、他の周辺部材から剥離したりするといった問題が生じる可能性もある。【０００６】
そこで、特許文献１や２においては、燃料電池の運転停止時に、燃料極に供給する燃料ガスの量を徐々に低下させたり、不活性ガスに還元性ガスを添加したガスによってパージ（装置内に滞留した燃料ガスを押し出すことをいう）を行うことにより、燃料極の劣化を抑制している。【０００７】
また、特許文献３は、複数のサブスタックを備えた固体高分子形燃料電池において、サブスタック内に生成された余剰の水を確実に排出するために、運転中の各サブスタックのセルの電圧値から判断して、各サブスタックへの燃料供給方法を切り替えることを開示している。【０００８】
しかしながら、特許文献１〜３に記載の燃料電池システムは１次電池であるため、燃料電池システムの充電についてはなんら考慮されていない。【０００９】
本発明は、上記の状況に鑑み、燃料電池の劣化を防止しつつ、システム全体としては発電及び充電を効果的に行うことができる２次電池型燃料電池システムを提供することを目的とする。
【課題を解決するための手段】
【００１０】
上記目的を達成するために本発明に係る２次電池型燃料電池システムは、化学反応により燃料ガスを発生し、前記化学反応の逆反応により再生可能な燃料発生部と、前記燃料発生部から発生された燃料ガスが供給される燃料極、酸化剤ガスが供給される酸化剤極及び前記燃料極と前記酸化剤極とで挟まれた電解質を有し、発電を行う燃料電池部と、予備電池と、前記燃料電池部の燃料極が酸化される雰囲気下にあるか否かを判定する判定部と、前記判定部によって前記燃料極が酸化される雰囲気下にあると判定された場合、前記燃料電池部による給電を停止し、前記予備電池による給電に切り替えるとともに、前記燃料電池部に燃料ガスを供給する前記燃料発生部の再生を行うように充電動作を行わせる制御部とを備える構成とする。
【発明の効果】
【００１１】
本発明に係る２次電池型燃料電池システムによると、燃料電池の劣化を防止しつつ、システム全体としては発電及び充電を効果的に行うことができる。
【図面の簡単な説明】
【００１２】
【図１】本発明の第１実施形態に係る２次電池型燃料電池システムが備える２次電池型燃料電池モジュールの概略構成を示す図である。
【図２】燃料電池部の概略構成を示す図である。
【図３】本発明の第１実施形態に係る２次電池型燃料電池システムの回路構成例を示す図である。
【図４】外部負荷へ電力を供給するのみの場合における本発明の第１、２実施形態に係る燃料電池の動作を示すフローチャートである。
【図５】燃料電池の燃料極にＮｉを使用した場合に、そのＮｉが酸化する雰囲気の温度特性を示すグラフである。
【図６】回生エネルギーのみが発生した場合における本発明の第１〜３実施形態に係る燃料電池の動作を示すフローチャートである。
【図７】外部負荷へ電力を供給しつつ、回生エネルギーが発生した場合における本発明の第１、２実施形態に係る燃料電池の動作を示すフローチャートである。
【図８】本発明の第２実施形態に係る２次電池型燃料電池システムが備える２次電池型燃料電池モジュールの概略構成を示す図である。
【図９】本発明の第３実施形態に係る２次電池型燃料電池システムが備える２次電池型燃料電池モジュールの概略構成を示す図である。
【図１０】外部負荷へ電力を供給するのみの場合における本発明の第３実施形態に係る燃料電池の動作を示すフローチャートである。
【図１１】外部負荷へ電力を供給しつつ、回生エネルギーが発生した場合における本発明の第３実施形態に係る燃料電池の動作を示すフローチャートである。
【発明を実施するための形態】
【００１３】
本発明の実施形態について図面を参照して以下に説明する。なお、本発明は、後述する実施形態に限られない。
【００１４】
＜第１実施形態＞
本発明の第１実施形態に係る２次電池型燃料電池システムは、図１に示す２次電池型燃料電池モジュールを少なくとも二つ備えている。図１に示す２次電池型燃料電池モジュールは、化学反応により水素（燃料ガス）を発生し、前記化学反応の逆反応により再生可能な燃料発生部１００と、酸素（酸化剤ガス）と燃料発生部１００から供給される水素との反応により発電を行う燃料電池部２００と、燃料発生部１００と燃料電池部２００との間でガスを循環させる循環経路３００とを備えている。本実施形態においては、１つの燃料発生部１００と１つの燃料電池部２００とが循環経路３００を介して接続され、モジュール化されている。なお、燃料発生部１００及び燃料電池部２００の一方又は両方を複数として循環経路３００を介して接続するようにしても構わない。
【００１５】
燃料発生部１００は、燃料発生部材を備えている。燃料発生部材としては、例えば、金属を母材として、その表面に金属または金属酸化物が添加されており、化学反応によって燃料を発生するものを用いることができる。母材の金属としては例えば、Ｎｉ、Ｆｅ、Ｐｄ、Ｖ、Ｍｇやこれらを基材とする合金が挙げられ、特にＦｅは安価で、加工も容易なので好ましい。また、添加される金属としては、Ａｌ、Ｒｄ、Ｐｄ、Ｃｒ、Ｎｉ、Ｃｕ、Ｃｏ、Ｖ、Ｍｏが挙げられ、添加される金属酸化物としてはＳｉＯ２、ＴｉＯ２が挙げられる。ただし、母材となる金属と、添加される金属は同一の材料ではない。なお、本実施形態においては、燃料発生部材として、Ｆｅを主体とする水素発生部材を用いる。
【００１６】
また、燃料発生部材においては、その反応性を上げるために単位体積当りの表面積を大きくすることが望ましい。燃料発生部材の単位体積当りの表面積を増加させる方策としては、例えば、燃料発生部材の主体を微粒子化し、その微粒子化したものを成型すればよい。微粒子化の方法は例えばボールミル等を用いた粉砕によって粒子を砕く方法が挙げられる。さらに、機械的な手法などにより微粒子にクラックを発生させることで微粒子の表面積をより一層増加させてもよく、酸処理、アルカリ処理、ブラスト加工などによって微粒子の表面を荒らして微粒子の表面積をより一層増加させてもよい。
【００１７】
燃料電池部２００は、図２に示す通り、電解質膜１の両面に燃料極２と酸化剤極である空気極３を接合したＭＥＡ構造(膜・電極接合体：Membrane  Electrode  Assembly)である。なお、図２では、ＭＥＡを１つだけ設けた構造を図示しているが、ＭＥＡを複数設けたり、さらに複数のＭＥＡを積層構造にしたりしてもよい。また、燃料電池部２００には、燃料極２−空気極３間にかかる電圧を測定するための電圧検出部４と、燃料電池部２００の温度を測定する温度センサー５とが設けられている。
【００１８】
電解質膜１の材料としては、例えば、イットリア安定化ジルコニア（ＹＳＺ）を用いた固体酸化物電解質を用いることができ、また例えば、ナフィオン（デュポン社の商標）、カチオン導電性ポリマー、アニオン導電性ポリマー等の固体高分子電解質を用いることができるが、これらに限定されることなく、水素イオンを通すものや酸素イオンを通すもの、また、水酸化物イオンを通すもの等、燃料電池の電解質としての特性を満たすものであればよい。なお、本実施形態においては、電解質膜１として、酸素イオン又は水酸化物イオンを通す電解質、例えばイットリア安定化ジルコニア（ＹＳＺ）を用いた固体酸化物電解質を用い、発電時に燃料極２側に水を発生させるようにしている。この場合、発電時に燃料極２側に発生した水を用いた化学反応によって燃料発生部１００の燃料発生部材から水素を発生させることができる。
【００１９】
電解質膜２は、固体酸化物電解質の場合であれば、電気化学蒸着法（ＣＶＤ−ＥＶＤ法；Chemical  Vapor  Deposition−Electrochemical  Vapor  Deposition）等を用いて形成することができ、固体高分子電解質の場合であれば、塗布法等を用いて形成することができる。
【００２０】
燃料極２、空気極３はそれぞれ、例えば、電解質膜１に接する触媒層と、その触媒層に積層された拡散電極とからなる構成にすることができる。触媒層としては、例えば白金黒或いは白金合金をカーボンブラックに担持させたもの等を用いることができる。また、燃料極２の拡散電極の材料としては、例えばＮｉ−Ｆｅ系サーメットやＮｉ−ＹＳＺ系サーメット等を用いることができる。また、空気極３の拡散電極の材料としては、例えばＬａ−Ｍｎ−Ｏ系化合物やＬａ−Ｃｏ−Ｃｅ系化合物等を用いることができる。
【００２１】
燃料極２、空気極３はそれぞれ、例えば蒸着法等を用いて形成することができる。
【００２２】
さらに、燃料発生部１００、燃料電池部２００及び循環経路３００には必要に応じて温度を調節するヒーターやガスを供給するためのポンプ、燃料の漏洩を検知するセンサー等を設けてもよい。
【００２３】
次に、図１に示す２次電池型燃料電池モジュールの発電時及び充電時それぞれにおいて起こる各化学反応について説明する。
【００２４】
図１に示す２次電池型燃料電池モジュールの発電時には、燃料極２に燃料ガスである水素が供給され、空気極３に酸素を含む空気が供給されることにより、燃料極２において下記の（１）式の反応が起こる。
Ｈ２＋Ｏ２−→Ｈ２Ｏ＋２ｅ−  …（１）
【００２５】
一方、空気極３において下記の（２）式の反応が起こる。
１／２Ｏ２＋２ｅ−→Ｏ２−  …（２）
【００２６】
これら（１）式及び（２）式の反応における電子の流れにより、燃料極２及び空気極３に接続された外部負荷（図１及び図２において不図示）への給電が行われる。そして、酸素イオンは、電解質膜１を通って、燃料極２に到達する。燃料電池部２００では、上記の一連の反応が繰り返され、上記の（１）式から分かるように、燃料極２側においてＨ２が消費されＨ２Ｏが生成される。
【００２７】
上記の（１）式及び（２）式より、発電動作時における燃料電池部２００での反応は下記の（３）式の通りになる。
Ｈ２＋１／２Ｏ２→Ｈ２Ｏ  …（３）
【００２８】
また、図１に示す２次電池型燃料電池モジュールの発電時には、燃料発生部１００は、下記の（４）式に示す酸化反応により、燃料電池部２００の燃料極２側で生成されたＨ２Ｏを消費してＨ２を生成する。このＨ２を燃料極２に供給することで燃料電池部２００での発電が行われる。
３Ｆｅ＋４Ｈ２Ｏ→Ｆｅ３Ｏ４＋４Ｈ２  …（４）
したがって、燃料発生部１００と燃料電池部２００の燃料極２との間では循環経路３００を介してＨ２及びＨ２Ｏを含む混合ガスが循環されることになる。
【００２９】
一方、図１に示す２次電池型燃料電池モジュールの充電動作時には、外部電源（図１及び図２において不図示）から燃料電池部２００に電力が供給され、燃料電池部２００では、上記の（３）式の逆反応である下記の（５）式に示す電気分解反応が起こり、燃料極２側においてＨ２Ｏが消費されＨ２が生成される。一方、燃料発生部１００では、上記の（４）式に示す酸化反応の逆反応である下記（６）式に示す還元反応が起こり、燃料電池部２００の燃料極２側で生成されたＨ２が消費されＨ２Ｏが生成される。
Ｈ２Ｏ→Ｈ２＋１／２Ｏ２  …（５）
Ｆｅ３Ｏ４＋４Ｈ２→３Ｆｅ＋４Ｈ２Ｏ  …（６）
これにより、燃料発生部１００のＦｅ３Ｏ４をＦｅに還元し、燃料発生部１００を再生することができる。
【００３０】
次に、本発明の第１実施形態に係る２次電池型燃料電池システムの回路構成例について図３を参照して説明する。図３において、燃料電池１１は燃料電池部２００のＭＥＡ構造である。予備燃料電池１４もまた、別の燃料電池部２００のＭＥＡ構造である。すなわち、燃料電池１１及び予備燃料電池１４として、それぞれ、図１に示す２次電池型燃料電池モジュールを用いる。なお、２次電池型燃料電池システムが２次電池型燃料電池モジュールを三つ以上備えている場合、三つ以上の燃料電池の中から燃料電池１１と予備燃料電池１４とを任意に選択する選択回路を設ければよい。また、燃料電池１１は、一つの２次電池型燃料電池モジュールのＭＥＡ構造であってもよく、複数の２次電池型燃料電池モジュールのＭＥＡ構造を合わせたものでもよい。同様に、予備燃料電池１４は、一つの２次電池型燃料電池モジュールのＭＥＡ構造であってもよく、複数の２次電池型燃料電池モジュールのＭＥＡ構造を合わせたものでもよい。
【００３１】
例えば、本実施形態の２次電池型燃料電池システムを自動車の動力源として用いることを想定した場合、自動車の発進時に大きな出力を必要とし、加速が終了し定速走行に入ると必要な出力が減少する。よって、２次電池型燃料電池モジュールの搭載量は発進時等に必要とする最大出力分に合わせておき、定速走行等の出力をあまり必要としないときには、一部の２次電池型燃料電池モジュールは発電を停止させておくことができる。この場合、発電を行う２次電池型燃料電池モジュールを燃料電池１１とし、発電を停止させた２次電池型燃料電池モジュールを予備燃料電池１４とすることができる。
【００３２】
電圧検出部１２は、燃料電池１１と対応する燃料電池部２００の電圧検出部４に相当し、電圧検出部１５は、予備燃料電池１４と対応する燃料電池部２００の電圧検出部４に相当する。燃料電池１１及び予備燃料電池１４の各燃料極はグランド電位に接続される。燃料電池１１の空気極は電圧検出部１２を介して双方向ＤＣ／ＤＣコンバータ１３の一端に接続される。予備燃料電池１４の空気極は電圧検出部１５を介して双方向ＤＣ／ＤＣコンバータ１６の一端に接続される。
【００３３】
双方向ＤＣ／ＤＣコンバータ１３の他端は、スイッチＳＷ１を介してダイオードＤ１のアノードに接続される。また、双方向ＤＣ／ＤＣコンバータ１３の他端は、ダイオードＤ３のカソードにも接続される。ダイオードＤ１のカソードは電圧検出部１７に接続され、ダイオードＤ３のアノードもスイッチＳＷ３を介して電圧検出部１７に接続される。
【００３４】
双方向ＤＣ／ＤＣコンバータ１６の他端は、スイッチＳＷ２を介してダイオードＤ２のアノードに接続される。また、双方向ＤＣ／ＤＣコンバータ１６の他端は、ダイオードＤ４のカソードにも接続される。ダイオードＤ２のカソードは電圧検出部１７に接続され、ダイオードＤ４のアノードもスイッチＳＷ４を介して電圧検出部１７に接続される。
【００３５】
電圧検出部１７は、外部負荷１８へ供給される電圧、及び、外部電源１９から供給される回生電圧を検出する。なお、図３においては、外部負荷１８の回生エネルギーを用いて生成される回生電圧の供給源を外部電源１９として示している。
【００３６】
温度センサー２１は、燃料電池１１と対応する燃料電池部２００の温度センサー５に相当し、温度センサー２２は、予備燃料電池１４と対応する燃料電池部２００の温度センサー５に相当する。これら温度センサー２１及び２２は、スイッチ制御部２０と接続され、スイッチ制御部２０に対して燃料電池１１及び予備燃料電池１４の燃料極の環境温度を示す信号を送出する。
【００３７】
スイッチ制御部２０は、温度センサー２１及び２２、電圧検出部１２、１５、及び１７の検出結果に基づいて、スイッチＳＷ１〜ＳＷ４のＯＮ／ＯＦＦを制御する。
【００３８】
次に、本発明の第１実施形態に係る２次電池型燃料電池システムが図３に示す回路構成例の構成である場合の動作について、（I）外部負荷１８へ電力を供給するのみの場合、（II）回生エネルギーのみが発生した場合、（III）外部負荷１８へ電力を供給しつつ、回生エネルギーが発生した場合、に分けて説明する。
【００３９】
（I）外部負荷１８へ電力を供給するのみの場合、図４に示すフローチャートのように動作する。まず、スイッチ制御部２０は、スイッチＳＷ１のみをＯＮにし、スイッチＳＷ２〜ＳＷ４をＯＦＦにする（ステップＳ１０）。この状態で、ステップＳ２０及びステップＳ３０が連続的或いは定期的に実行される。
【００４０】
ステップＳ２０では、温度センサー２１からの信号に基づく燃料電池１１の燃料極の環境温度を用いて、スイッチ制御部２０は、燃料極が劣化する雰囲気（以下、部材劣化雰囲気という）に対応する電圧を算出する。
【００４１】
ここで、部材劣化雰囲気の算出方法について、燃料電池１１の燃料極にＮｉを使用した場合を例に挙げて説明する。この場合、燃料極の劣化は、燃料電池１１の燃料極に使用されるＮｉの酸化が該当し、この酸化反応は下記（７）式に示される。
Ｎｉ(s)＋Ｈ２Ｏ(g)→ＮｉＯ(s)＋Ｈ２(g)   …（７）
【００４２】
また、上記（７）式の反応におけるギブス自由エネルギーΔＧNiは、ネルンストの式より下記（８）式で表される。
【００４３】
【数１】
2012165245.tif 000003
【００４４】
ΔＧ0Niは上記（７）式における標準ギブス自由エネルギーであり、温度が決まれば一意に定まる値である。Ｒは気体定数、Ｔは絶対温度、ＰＨ2及びＰＨ2Оはそれぞれ燃料電池１１の燃料極における水素及び水蒸気の分圧である。ネルンストの式で表わされる通り、ガスの雰囲気、すなわち水素と水蒸気の分圧によってギブス自由エネルギーΔＧNiは変化する。ここでΔＧNi＜０の場合にはＮｉが酸化する方向に反応が進み、ΔＧNi＝０の場合には平衡状態となり、反応はどちらにも進まない。また、ΔＧNi＞０の場合には酸化されたＮｉが還元する方向に反応が進む。つまり、ΔＧNi＝０を境にして反応の方向が逆になる。例えば５００℃の場合、ΔＧ0Niは約６２ｋＪ／ｍｏｌであり、ΔＧ0Ni＝０となる水素と水蒸気の分圧は、燃料電池１１の燃料極側の全圧を１ａｔｍとすると、およそＰＨ2＝６×１０−５ａｔｍ、ＰＨ2О＝０．９９９９９４ａｔｍである。
【００４５】
一方、燃料電池１１の発電反応は上記（３）式であり、上記（３）式中のＨ２、Ｏ２、Ｈ２Ｏはいずれもガスである。
【００４６】
また、上記（３）式の反応におけるギブス自由エネルギーΔＧは、ネルンストの式より下記（９）式で表される。
【００４７】
【数２】
2012165245.tif 000004
【００４８】
ΔＧ0は上記（３）式における標準ギブス自由エネルギーであり、温度が決まれば一意に定まる値である。Ｒは気体定数、Ｔは絶対温度、ＰＨ2及びＰＨ2Оはそれぞれ燃料電池１１の燃料極における水素及び水蒸気の分圧、ＰО2は燃料電池１１の空気極における酸素の分圧である。例えば５００℃の場合、ΔＧ0は約−２０５ｋＪ／ｍｏｌである。
【００４９】
さらに、燃料電池１１の発電電圧Ｅはこのギブス自由エネルギーΔＧを用いて下記（１０）式で表される。
Ｅ＝−ΔＧ／ｚＦ  …（１０）
【００５０】
Ｆはファラデー定数、ｚは１つの反応に関与する電子の数で、上記（３）式で表される燃料電池１１の発電反応ではｚ＝２である。よって、部材劣化雰囲気に対応する電圧は、上記（８）式の反応から求められる劣化反応が進む雰囲気（ΔＧNi＜０に対応する雰囲気）を算出し、その算出した雰囲気（ＰＨ2、ＰＨ2О）を上記（９）式に適用して求められたギブス自由エネルギーΔＧを上記（１０）式に適用して求めることができる。燃料電池１１の燃料極にＮｉを使用した場合に、燃料電池１１の燃料極に使用されるＮｉが酸化する雰囲気と還元される雰囲気との境界（ΔＧNi＝０に対応する雰囲気）を示す発電電圧を各温度で計算した結果は、図５のようになる。なお、この計算では、燃料電池１１の空気極側の酸素分圧は、燃料電池１１の空気極に供給するガスとして空気を使用した場合を想定し、０．２ａｔｍとしている。
【００５１】
なお、本実施形態では、スイッチ制御部２０が燃料極の環境温度を用いて部材劣化雰囲気に対応する電圧を算出するようにしたが、燃料極の環境温度と部材劣化雰囲気との関係を予めメモリにテーブルとして記憶しておき、温度センサー２１からの信号に基づいてこのテーブルを参照して部材劣化雰囲気に対応する電圧を得るようにしてもよい。
【００５２】
ステップＳ３０では、電圧検出部１２は、燃料電池１１の発電電圧を測定する。
【００５３】
そして、ステップＳ４０では、スイッチ制御部２０は、ステップＳ３０において測定された燃料電池１１の発電電圧が、ステップＳ２０において算出された部材劣化雰囲気に対応する電圧に該当するか否かを判定する。
【００５４】
ステップＳ３０において測定された燃料電池１１の発電電圧が、ステップＳ２０において算出された部材劣化雰囲気に対応する電圧に該当していなければ（ステップＳ４０のＮＯ）、ステップ１０〜ステップＳ４０の処理を繰り返す。すなわち、燃料電池１１から外部負荷１８への給電が実行される。
【００５５】
一方、ステップＳ３０において測定された燃料電池１１の発電電圧が、ステップＳ２０において算出された部材劣化雰囲気に対応する電圧に該当していれば（ステップＳ４０のＹＥＳ）、スイッチ制御部２０は、スイッチＳＷ１をＯＮからＯＦＦに切り替え、スイッチＳＷ２をＯＦＦからＯＮに切り替え、スイッチＳＷ３をＯＦＦからＯＮに切り替え、スイッチＳＷ４をＯＦＦのままにする（ステップＳ５０）。これにより、外部負荷１８への電力供給元が燃料電池１１から予備燃料電池１４に切り替わるとともに、予備燃料電池１４から燃料電池１１への電力供給が可能になる。この場合、燃料電池１１は、予備燃料電池１４から供給された電力によって水の電気分解を行って水素を発生し（上記（５）式参照）、この水素により、対応する燃料発生部１００の再生を行う。したがって、システム全体としては発電を維持しつつ、効率良く充電を行い、かつ、燃料電池１１の燃料極の劣化を抑制することができ、耐久性を向上させることができる。
【００５６】
ステップＳ５０に続くステップＳ６０において、スイッチ制御部２０は、予備燃料電池１４の出力電圧が燃料電池１１の開回路電圧より小さいか否かを判定する。
【００５７】
予備燃料電池１４の出力電圧が燃料電池１１の開回路電圧より小さくなければ（ステップＳ６０のＮＯ）、ステップＳ５０において処理された状態を維持する。
【００５８】
予備燃料電池１４の出力電圧が燃料電池１１の開回路電圧より小さければ（ステップＳ６０のＹＥＳ）、予備燃料電池１４から燃料電池１１への電力供給ができなくなるので、スイッチ制御部２０は、スイッチＳＷ２をＯＮからＯＦＦに切り替え、スイッチＳＷ３をＯＮからＯＦＦに切り替え、スイッチＳＷ１及びＳＷ４をＯＦＦのままにする（ステップＳ７０）。これにより、２次電池型燃料電池システムはいわゆる電池切れの状態になる。なお、本実施形態において、図３では燃料電池１１と予備燃料電池１４とがそれぞれ１つである回路構成を示しているが、この回路から外部負荷１８に供給する電圧は、外部負荷１８が許容できる最低電圧以上であることが望まれる。したがって、燃料電池１１及び予備燃料電池１４は、外部負荷１８が許容できる最低電圧に対して十分余裕があるように、それぞれ複数個設けられていてもよい。その場合の具体的な回路構成としては、図３で示した回路を外部負荷１８に対して直列に複数接続した形態である。但し、この場合において複数の回路で兼用できる部品に関しては省略することができる。
【００５９】
（II）回生エネルギーのみが発生した場合すなわち外部負荷１８が電力供給を必要としておらず回生エネルギーを発生している場合、図６に示すフローチャートのように動作する。まず、スイッチ制御部２０は、スイッチＳＷ１〜ＳＷ４全てをＯＦＦにし（ステップＳ１１０）、ステップＳ１２０及びＳ１４０を実行する。
【００６０】
ステップＳ１２０において、スイッチ制御部２０は、外部電源１９から供給される回生電圧（電圧検出部１７の検出値）が燃料電池１１の開回路電圧（電圧検出部１２の検出値）より大きいか否かを判定する。回生電圧が燃料電池１１の開回路電圧より大きければ（ステップＳ１２０のＹＥＳ）、スイッチ制御部２０は、スイッチＳＷ３をＯＮ状態とし（ステップＳ１３０）、回生電圧を利用した充電動作（燃料電池１１による電気分解）を実行し、その後、ステップＳ１２０に戻る。一方、回生電圧が燃料電池１１の開回路電圧より大きくなければ（ステップＳ１２０のＮＯ）、回生電圧を利用した燃料電池１１での充電動作は実行しないものとし、スイッチ制御部２０は、スイッチＳＷ３をＯＦＦ状態とし（ステップＳ１２５）、ステップＳ１２０に戻る。
【００６１】
ステップＳ１４０において、スイッチ制御部２０は、外部電源１９から供給される回生電圧が予備燃料電池１４の開回路電圧（電圧検出部１６の検出値）より大きいか否かを判定する。回生電圧が予備燃料電池１４の開回路電圧より大きければ（ステップＳ１４０のＹＥＳ）、スイッチ制御部２０は、スイッチＳＷ４をＯＮ状態とし（ステップＳ１５０）、回生電圧を利用した充電動作（予備燃料電池１４による電気分解）を実行し、その後、ステップＳ１４０に戻る。一方、回生電圧が予備燃料電池１４の開回路電圧より大きくなければ（ステップＳ１４０のＮＯ）、回生電圧を利用した予備燃料電池１４での充電動作は実行しないものとし、スイッチ制御部２０は、スイッチＳＷ４をＯＦＦ状態とし（ステップＳ１４５）、ステップＳ１４０に戻る。
【００６２】
（III）外部負荷１８へ電力を供給しつつ、回生エネルギーが発生した場合、図７に示すフローチャートのように動作する。まず、スイッチＳＷ１のみがＯＮである状態（燃料電池１１から外部負荷１８に電力を供給している状態）で、ステップＳ２１０及びステップＳ２２０が連続的或いは定期的に実行される。
【００６３】
ステップＳ２１０は、上述したステップＳ２０と同一の処理を実行するステップである。ステップＳ２１０では、温度センサー２１からの信号に基づく燃料電池１１の燃料極の環境温度を用いて、スイッチ制御部２０は、部材劣化雰囲気に対応する電圧を算出する。
【００６４】
ステップＳ２２０は、上述したステップＳ３０と同一の処理を実行するステップである。ステップＳ２２０では、電圧検出部１２は、燃料電池１１の発電電圧を測定する。
【００６５】
そして、ステップＳ２３０では、スイッチ制御部２０は、ステップＳ２２０において測定された燃料電池１１の発電電圧が、ステップＳ２１０において算出された部材劣化雰囲気に対応する電圧に該当するか否かを判定する。
【００６６】
ステップＳ２２０において測定された燃料電池１１の発電電圧が、ステップＳ２１０において算出された部材劣化雰囲気に対応する電圧に該当していなければ（ステップＳ２３０のＮＯ）、スイッチ制御部２０は、スイッチＳＷ１とスイッチＳＷ３とを相補的にスイッチングする（ステップＳ２４０）。スイッチＳＷ１がＯＮでありスイッチＳＷ３がＯＦＦであるとき、燃料電池１１の発電電圧が、双方向ＤＣ／ＤＣコンバータ１３で変換された後、外部負荷１８へ供給される。逆に、スイッチＳＷ１がＯＦＦでありスイッチＳＷ３がＯＮであるとき、回生電圧を利用した燃料電池１１での充電動作が実行される。そして、スイッチＳＷ１がＯＮでありスイッチＳＷ３がＯＦＦであるタイミングで、上述したステップＳ２１０及びＳ２２０が実行される。
【００６７】
一方、ステップＳ２２０において測定された燃料電池１１の発電電圧が、ステップＳ２１０において算出された部材劣化雰囲気に対応する電圧に該当していれば（ステップＳ２３０のＹＥＳ）、スイッチ制御部２０は、スイッチＳＷ１をＯＦＦ、スイッチＳＷ２をＯＮ、スイッチＳＷ３をＯＮの状態にし、スイッチＳＷ４をＯＦＦ状態にする（ステップＳ２５０）。これにより、外部負荷１８への電力供給元が燃料電池１１から予備燃料電池１４に切り替わるとともに、予備燃料電池１４から燃料電池１１への電力供給が可能になる。この場合、燃料電池１１は、予備燃料電池１４から供給された電力によって水の電気分解を行って水素を発生し、この水素により、対応する燃料発生部１００の再生を行う。したがって、システム全体としては発電を維持しつつ、効率良く充電を行い、かつ、燃料電池１１の燃料極の劣化を抑制することができ、耐久性を向上させることができる。
【００６８】
ステップＳ２５０に続くステップＳ２６０において、スイッチ制御部２０は、予備燃料電池１４の出力電圧が燃料電池１１の開回路電圧より小さいか否かを判定する。
【００６９】
予備燃料電池１４の出力電圧が燃料電池１１の開回路電圧より小さくなければ（ステップＳ２６０のＮＯ）、ステップＳ２５０において処理された状態を維持する。
【００７０】
予備燃料電池１４の出力電圧が燃料電池１１の開回路電圧より小さければ（ステップＳ２６０のＹＥＳ）、予備燃料電池１４から燃料電池１１への電力供給ができなくなるので、スイッチ制御部２０は、スイッチＳＷ２をＯＦＦ、スイッチＳＷ１及びＳＷ４をＯＦＦ、スイッチＳＷ３をＯＮの状態にし（ステップＳ２７０）、ステップＳ２４０に移行する。
【００７１】
＜第２実施形態＞
本発明の第２実施形態に係る２次電池型燃料電池システムは、２次電池型燃料電池モジュールの構造が異なる点以外は、上述した第１実施形態に係る２次電池型燃料電池システムと同様の構成であり、同様の効果を奏する。第２実施形態における２次電池型燃料電池モジュールでは、燃料発生部としての水素発生部材６と、燃料電池部を構成する電解質膜１、燃料極２及び空気極３と、温度センサー５とが図８に示すように同一の容器４００に収容されている。すなわち、第１実施形態における循環経路３００は省略されており、水素発生部材６と燃料極２とが空間を間に挟んで対向している。
【００７２】
また、本実施形態では、水素発生部材６と燃料極２との間に空間が存在するが、水素発生部材６と燃料極２とが接触するようにし燃料発生部と燃料電池部との間に空間が存在しない構成にしてもよい。かかる構成でも、多孔質体である水素発生部材６及び燃料極２の内部の空間に燃料ガスである水素ガスが存在することができる。
【００７３】
＜第３実施形態＞
本発明の第３実施形態に係る２次電池型燃料電池システムは、第１及び第２実施形態における電圧検出部４（図３に示す電圧検出部１２及び１５も含む）の代わりに、燃料ガスが供給されている空間の燃料ガスの濃度を測定するガス濃度センサー７が設けられ、ガス濃度センサー７によって燃料極が酸化される雰囲気下にあるかどうかを検出している点以外は上述した第２実施形態に係る２次電池型燃料電池システムと同様の構成であり、同様の効果を奏する。本発明の第３実施形態に係る２次電池型燃料電池システムが備える２次電池型燃料電池モジュールの概略構成を図９に示す。
【００７４】
本実施形態に係る２次電池型燃料電池システムでは、（I）外部負荷１８へ電力を供給するのみの場合、図４に示すフローチャートの代わりに図１０に示すフローチャートのように動作する。図１０に示すフローチャートは、図４に示すフローチャートのステップＳ２０、Ｓ３０、及びＳ４０をそれぞれステップＳ２５、Ｓ３５、及びＳ４５に置換したものである。
【００７５】
また、本実施形態に係る２次電池型燃料電池システムでは、（III）外部負荷１８へ電力を供給しつつ、回生エネルギーが発生した場合、図７に示すフローチャートの代わりに図１１に示すフローチャートのように動作する。図１１に示すフローチャートは、図７に示すフローチャートのステップＳ２１０、Ｓ２２０、及びＳ２３０をそれぞれステップＳ２１５、Ｓ２２５、及びＳ２３５に置換したものである。
【００７６】
ステップＳ２５及びＳ２１５では、温度センサー２１からの信号に基づく燃料電池１１の温度を用いて、スイッチ制御部２０は、部材劣化雰囲気（ガス濃度）を算出する。なお、本実施形態では、スイッチ制御部２０が燃料極の環境温度を用いて部材劣化雰囲気を算出するようにしたが、燃料極の環境温度と部材劣化雰囲気との関係を予めメモリにテーブルとして記憶しておき、温度センサー２１からの信号に基づいてこのテーブルを参照して部材劣化雰囲気を得るようにしてもよい。
【００７７】
ステップＳ３５及びＳ２２５では、ガス濃度センサー７は、燃料ガスが供給されている空間の燃料ガス（具体的には、燃料極の周囲に存在する燃料ガス）の濃度を測定する。
【００７８】
ステップＳ４５では、スイッチ制御部２０は、ステップＳ３５において測定された燃料ガスの濃度が、ステップＳ２５において算出された部材劣化雰囲気に該当するか否かを判定する。同様に、ステップＳ２３５では、スイッチ制御部２０は、ステップＳ２２５において測定された燃料ガスの濃度が、ステップＳ２１５において算出された部材劣化雰囲気に該当するか否かを判定する。
【００７９】
＜変形例＞
上述した各実施形態においては、電解質膜１として固体酸化物電解質を用いて、発電の際に燃料極２側で水を発生させるようにする。この構成によれば、水素発生部材６が設けられた側で水を発生するため、装置の簡素化や小型化に有利である。一方、特開２００９−９９４９１号公報に開示された燃料電池のように、電解質膜１として水素イオンを通す固体高分子電解質を用いることも可能である。但し、この場合には、発電の際に酸化剤極である空気極３側で水が発生されることになるため、この水を燃料発生部に伝搬する流路を設ければよい。
【００８０】
また、上述した各実施形態においては、予備電池に２次電池型燃料電池モジュールを用いたが、予備電池は燃料電池以外の電池であってもよい。また、予備電池は２次電池に限定されることはなく１次電池であってもよい。
【符号の説明】
【００８１】
１  電解質膜
２  燃料極
３  空気極
４  電圧検出部
５、２１、２２  温度センサー
６  水素発生部材
７  ガス濃度センサー
１１  燃料電池
１２、１５、１７  電圧検出部
１３、１６  双方向ＤＣ／ＤＣコンバータ
１４  予備燃料電池
１８  外部負荷
１９  外部電源
２０  スイッチ制御部
１００  燃料発生部
２００  燃料電池部
３００  循環経路
４００  容器
Ｄ１〜Ｄ４  ダイオード
ＳＷ１〜ＳＷ４  スイッチ
【図１】
2012165245.tif 000005
【図３】
2012165245.tif 000006
【図４】
2012165245.tif 000007
【図５】
2012165245.tif 000008
【図６】
2012165245.tif 000009
【図７】
2012165245.tif 000010
【図１０】
2012165245.tif 000011
【図１１】
2012165245.tif 000012
【図２】
2012165245.tif 000013
【図８】
2012165245.tif 000014
【図９】
2012165245.tif 000015
【手続補正書】
【提出日】平成25年9月20日(2013.9.20)
【手続補正１】
【補正対象書類名】特許請求の範囲
【補正対象項目名】全文
【補正方法】変更
【補正の内容】
【特許請求の範囲】
【請求項１】
発電動作及び充電動作が可能な２次電池型燃料電池システムであって、
発電動作時に酸化性ガスとの化学反応により還元性ガスである燃料を発生し、充電動作時に前記化学反応の逆反応により前記酸化性ガスを発生し再生可能な燃料発生部と、
燃料極、酸化剤極、及び前記燃料極と前記酸化剤極との間に狭持される電解質を有し、前記燃料発生部で発生した前記還元性ガスが前記燃料極に供給され酸化剤ガスが前記酸化剤極に供給されることにより発電する発電機能と、前記燃料発生部の再生時に発生した前記酸化性ガスを前記燃料極において外部からの給電により電気分解する機能とを有する燃料電池部とを備え、
前記燃料発生部は、発電動作時に、前記発電によって前記燃料電池部において発生した前記酸化性ガスが供給され、充電動作時に、前記電気分解によって前記燃料電池部において発生した前記還元性ガスが供給され、
予備電池と、
前記燃料極に使用される金属と前記酸化性ガスとの酸化反応におけるギブス自由エネルギーが負であるか否かを判定する判定部と、
前記判定部によって前記酸化反応におけるギブス自由エネルギーが負であると判定された場合、前記燃料電池部による給電を停止し、前記予備電池による給電に切り替えるとともに、前記燃料電池部の電気分解および前記燃料発生部の再生を行うように充電動作を行わせる制御部とを更に備えることを特徴とする２次電池型燃料電池システム。
【請求項２】
前記判定部は、前記燃料電池部の燃料極の環境温度を検出する温度センサーと、前記燃料電池部の燃料極と酸化剤極との間の電圧を検出する電圧検出部とを備え、前記温度センサーによって検出された温度と、前記電圧検出部によって検出された電圧とから、前記酸化反応におけるギブス自由エネルギーが負であるか否かを判定することを特徴とする請求項１に記載の２次電池型燃料電池システム。
【請求項３】
前記判定部は、前記燃料電池部の燃料極の環境温度を検出する温度センサーと、前記燃料電池部の燃料極周辺に存在する前記還元性ガスの濃度を検出するガス濃度センサーとを備え、前記温度センサーによって検出された温度と、前記ガス濃度センサーによって検出された前記還元性ガスの濃度とから、前記酸化反応におけるギブス自由エネルギーが負であるか否かを判定することを特徴とする請求項１に記載の２次電池型燃料電池システム。
【請求項４】
前記燃料発生部と前記燃料電池部とは一体的にモジュール化されていることを特徴とする請求項１〜３のいずれか１項に記載の２次電池型燃料電池システム。
【請求項５】
前記予備電池は、前記燃料発生部と前記燃料電池部とから構成されるモジュールと同様のものである請求項４に記載の２次電池型燃料電池システム。
【請求項６】
前記燃料電池部が備える電解質が固体酸化物電解質であることを特徴とする請求項１〜５のいずれか１項に記載の２次電池型燃料電池システム。
【国際調査報告】
2012165245.tif 000016
2012165245.tif 000017
2012165245.tif 000018
2012165245.tif 000019
2012165245.tif 000020
2012165245.tif 000021
2012165245.tif 000022
2012165245.tif 000023